(57)【特許請求の範囲】
【請求項１】
靴の舌革に固定され、内周にラチェット型ギアが備えられ、円筒状の内面を有するハウジング部と、前記ハウジング部の内側に回転可能に配置されて巻き取られることにより、前記靴の両側側皮を締めるワイヤに引張力を提供するリール部と、前記リール部を選択的に回転する回転カバーとを含むワイヤ締付装置において、
前記ハウジング部は前記舌革の上面に安着され、前記舌革に形成された装着孔に対応する位置に結合部が備えられ、前記舌革をクランピングして固定するように一面に突設された結合バーが前記装着孔を貫通して前記結合部に結合されることにより前記舌革の下面を加圧する加圧面部を含み、
前記結合部は前記ハウジング部の下端辺縁に沿って延長して形成された結合面部と、前記結合面部に形成された結束孔の内周に沿って形成される係止突起とを含み、前記加圧面部は前記結合面部の外側端に沿って延長されて前記舌革の側端部を囲むように折曲され、
前記結合バーは前記結束孔に挿入されて前記係止突起に係止拘束されるように上端辺縁に固定突起が突設されることを特徴とするワイヤ締付装置。
【請求項２】
前記靴の両側側皮に沿って形成された各靴紐孔にはガイド部が結合され、前記ガイド部は前記靴紐孔を貫通する挿入突起が突設され、前記靴紐孔の下側辺縁に拘束される下部ボディー部と、前記靴紐孔の上側辺縁に安着され、一側に前記挿入突起が結合される結合孔が形成され、他側に前記ワイヤが挿入されるように前記結合孔と垂直した方向にワイヤ案内孔が形成される上部ボディー部とを含むことを特徴とする請求項１に記載のワイヤ締付
装置。
【請求項３】
前記ワイヤ案内孔の内側面は中心側が前記靴の外側方向に凸出されてラウンド状に形成されることを特徴とする請求項２に記載のワイヤ締付装置。
【請求項４】
前記加圧面部は着用者の足の甲に対応してラウンド状に形成され、前記加圧面部の下面には前記結合バーと対応する部分に着用者の足の甲に接触して弾性的に変形されるクッション部が形成され、前記クッション部は前記加圧面部が前記足の甲の上部に安着されるように半球状に突設されることを特徴とする請求項１に記載のワイヤ締付装置。
【請求項５】
靴の舌革に固定され、内周にラチェット型ギアが備えられ、円筒状の内面を有するハウジング部と、前記ハウジング部の内側に回転可能に配置されて巻き取られることにより、前記靴の両側側皮を締めるワイヤに引張力を提供するリール部と、前記リール部を選択的に回転する回転カバーとを含むワイヤ締付装置において、
前記ハウジング部は前記舌革の上面に安着され、前記舌革に形成された装着孔に対応する位置に結合部が備えられ、前記舌革をクランピングして固定するように一面に突設された結合バーが前記装着孔を貫通して前記結合部に結合されることにより前記舌革の下面を加圧する加圧面部を含み、
前記靴の両側側皮に沿って形成され、相互対向して配置された各対の靴紐孔にはガイド部が結合され、前記ガイド部は両端部が前記各対の靴紐孔の外側に露出されるように配置されて、前記両端部に前記ワイヤが貫通して結合されるガイドバンドで形成されることを特徴とするワイヤ締付装置。
【請求項６】
前記結合部は前記結合バーが挿入される挿入溝部と、前記挿入溝部の内側に突設されて、下面が傾斜するように形成され、上面が平坦に形成される係止突起とを含み、前記結合バーには前記係止突起の下面に沿ってスライドされ、前記係止突起の上面に安着されて係止拘束されるラチェット突起が突設されることを特徴とする請求項５に記載のワイヤ締付装置。
【請求項７】
前記係止突起及び前記ラチェット突起の中の少なくとも何れか一つは前記結合バーが挿入される方向に沿って多段に形成され、前記ハウジング部の下面及び前記加圧面部の上面には前記舌革を加圧して拘束する楔突起が突設されることを特徴とする請求項６に記載のワイヤ締付装置。
【発明の詳細な説明】
【技術分野】
【０００１】
本発明はワイヤ締付装置及びその装着方法に関するもので、より詳しくは、靴に容易に装着して使用上の便宜性が向上されるワイヤ締付装置及びその装着方法に関する。
【背景技術】
【０００２】
一般に、ワイヤ締付装置は現在多様に活用されて物品を締め付けるのに用いられる。ここでは、ワイヤ締付装置の多様な活用方法の中で足に着用する運動靴の脈絡で説明するが、上記ワイヤ締付装置は運動靴だけではなく、帽子を含む頭着用具、ベルト、手袋、かばん、スノーボード、水上スキーなどワイヤを通じて着用される物に多様に適用されることができる。
【０００３】
一方、運動靴などの靴は使用者の足サイズに密着されるように靴紐がジグザグ状に連結されるように備えられ、上記靴紐を引っ張って締め付けることによって、靴と使用者の足との密着性を高めて快適な歩行ができるようにする。
【０００４】
勿論、靴は、歩行の時脱げないように適当な大きさを選択する必要があり、履いたり脱いだりする際に便利になるように靴紐を若干緩く結んだ状態で靴を履くことが一般的であるが、歩行時に靴が足を圧迫しない範囲内で靴がだぶつかないように靴紐を締めることが足の健康に良いと知られている。
【０００５】
しかし、靴を履いたり脱いだりする度に靴紐を解いたり締めたりすることは非常に煩雑であるため、特別な場合を除いては適当に締めた状態を保持して靴を履くことが一般的である。しかし、靴紐が解けて歩みを止めて靴紐を結び直すこともあり、非常に煩雑である。また、靴紐が解けていない状態でも靴紐の両端部が固定されておらず、整っていない印象を与えることがある。
【０００６】
さらに、小学校低学年あるいは小学校以前の子供やお年寄りの場合には、靴紐を解いたり締めたりすることが容易でない。特に山登り、競輪などのような運動をする人たちや選手たちの場合、固定されていない紐の両端部や結び目が激しく動いて外部の物体にかかって解けてしまうと、記録の低下や事故の発生などにつながるため、靴紐は堅固に結ばれた状態を保持することが好ましい。
【０００７】
また、休息中にはぎゅっと締めた靴紐を解くことにより充分に休むことができる。そのため、靴紐を容易に締めることができ、締められた状態を堅固に長続きさせると同時に、必要時に手軽く靴紐を締めたり解いたりすることができることが最も好ましい。
【０００８】
特許文献１に開示されるワイヤ締付装置は、回転カバーの回転方向によって昇降される昇降カム部を備え、上記昇降カム部の下降時にワイヤが巻き取られるリール部が回転カバーと一体に回転されてワイヤを締め、上記昇降カム部の上昇時にリール部が回転カバーと独立的に回転されてワイヤを繰り上げて解くことができる。
【０００９】
この時、上記ワイヤ締付装置は、靴紐を締めて解く過程が靴の舌革に堅固に固定された状態で行われなければならない。このために、上記舌革に固定される上記靴紐締付装置のハウジング部の辺縁に沿って延長部を形成し、上記延長部の辺縁に沿って返し縫いをして固定する方法を用いる。
【先行技術文献】
【特許文献】
【００１０】
【特許文献１】韓国特許登録第１２４９４２０号
【発明の概要】
【発明が解決しようとする課題】
【００１１】
しかしながら、上記延長部の厚さ及び上記舌革の厚さにより使用者は直接返し縫いをすることができないため、靴紐締付装置が装着された靴を購入しなければならない。また、使用者が所望の靴に靴紐締付装置を装着するためには専門的な修理装備が必要となり、業社に依頼して装着しなければならないなど非常に煩雑になるという問題点があった。
【００１２】
上記問題点を解決するために、本発明は、靴に容易に装着して、使用上の便宜性が向上されるワイヤ締付装置及びその装着方法を提供することを解決課題とする。
【課題を解決するための手段】
【００１３】
上記課題を解決するために、本発明は靴の舌革に固定され、内周にラチェット型ギアが備えられ、円筒状の内面を有するハウジング部と、上記ハウジング部の内側に回転可能に配置され、巻き取られることにより、上記靴の両側側皮を締めるワイヤに引張力を提供するリール部と、上記リール部を選択的に回転する回転カバーとを含むワイヤ締付装置において、上記ハウジング部は上記舌革の上面に安着され、上記舌革に形成された装着孔に対応する位置に結合部が備えられ、上記舌革をクランピングして固定するように一面に突設された結合バーが上記装着孔を貫通して上記結合部に結合されることによって上記舌革の下面を加圧する加圧面部を含むことを特徴とするワイヤ締付装置を提供する。
【００１４】
ここで、上記結合部は上記結合バーが挿入される挿入溝部と、上記挿入溝部の内側に突設されて下面が傾斜するように備えられ、上面が平坦に形成される係止突起とを含み、上記結合バーには上記係止突起の下面に沿ってスライドされ、上記係止突起の上面に安着されて係止拘束されるラチェット突起が突設されることが好ましい。
【００１５】
この時、上記係止突起及び上記ラチェット突起の中の少なくとも何れか一つは上記結合バーが挿入される方向に沿って多段に形成され、上記ハウジング部の下面及び上記加圧面部の上面には上記舌革を加圧して拘束する楔突起が突設されることが好ましい。
【００１６】
そして、上記結合部は上記ハウジング部の下端辺縁に沿って延長形成された結合面部と、上記結合面部に形成された結束孔の内周に沿って形成される係止突起とを含み、上記加圧面部は上記結合面部の外側端に沿って延長されて上記舌革の側端部を囲むように折曲され、上記結合バーは上記結束孔に挿入されて、上記係止突起に係止拘束されるように上端辺縁に固定突起が突設されることが好ましい。
【００１７】
また、上記靴の両側側皮に形成された各靴紐の孔にはガイド部が結合され、上記ガイド部は上記靴紐孔を貫通する挿入突起が突設され、上記靴紐孔の下側辺縁に拘束される下部ボディー部と、上記靴紐孔の上側辺縁に安着され、一側に上記挿入突起が結合される結合孔が形成され、他側に上記ワイヤが挿入されるように上記結合孔と垂直した方向にワイヤ案内孔が形成される上部ボディー部とを含むことが好ましい。
【００１８】
この時、上記ワイヤ案内孔の内側面は中心側が上記靴の外側方向へ凸出されてラウンド状に形成されることが好ましい。
【００１９】
さらに、上記靴の両側側皮に形成され、相互対向するように配置された各対の靴紐孔にはガイド部が結合され、上記ガイド部は両端部が上記各対の靴紐孔の外側に露出されるように配置されて、上記両端部に上記ワイヤが貫通結合されるガイドバンドで備えられることが好ましい。
【００２０】
そして、上記加圧面部は着用者の足の甲に対応してラウンド状に形成され、上記加圧面部の下面には上記結合バーと対応する部分に着用者の足の甲に接触して弾性的に変形されるクッション部が備えられ、上記クッション部は上記加圧面部が上記足の甲の上部に安着されるように半球状に突設されることが好ましい。
【００２１】
一方、靴の舌革に既設定された間隔で装着孔を形成する第１段階と、巻き取られることにより、上記靴の両側側皮を締めるワイヤに引張力を提供するリール部が回転可能に配置されるハウジング部に形成された結合部が上記装着孔に対応して配置されるように上記ハウジング部を上記舌革の上面に安着させる第２段階と、上記舌革をクランピングして固定するように上記舌革の下面を加圧する加圧面部に突設された結合バーを上記装着孔を貫通して上記結合部に結合する第３段階とを含むワイヤ締付装置の装着方法を提供する。
【００２２】
ここで、上記リール部にはガイド部が結合された上記ワイヤが上記リール部の回転により巻き取られるように上記ワイヤの端部が結合され、上記第３段階で、上記ワイヤが上記ガイド部のワイヤ案内孔によってラウンドになるように案内されて、上記靴の両側側皮にジグザグ状に連結されるように、上記靴の両側側皮に形成された各靴紐孔の上側辺縁に上記ガイド部の上部ボディー部を配置し、上記ガイド部の下部ボディー部が上記靴紐孔の下側辺縁に拘束されるように上記下部ボディー部に突設された挿入突起を上記靴紐孔を貫通して上記上部ボディー部の結合孔に結合する段階を含むことが好ましい。
【発明の効果】
【００２３】
本発明のワイヤ締付装置及びその装着方法は上記の解決手段を通じて次のような效果を奏する。
【００２４】
第一に、上記ワイヤ締付装置は、靴の舌革に装着孔を形成し、上記装着孔に対応する位置に上記結合部を配置し、上記加圧面部の結合バーを上記装着孔を貫通して上記結合部に挿入する単純な過程で装着されるので、多様な靴に互換して用いることができて、製品の互換性及び装着便宜性が向上される。
【００２５】
第二に、上記結合バーに形成されたラチェット突起或いは上記結合部に形成された係止突起が多段に形成され、段階的に挿入されることにより別途の返し縫いなしに多様な厚さの舌革を堅固に加圧してクランピングして固定することができるので、ワイヤを安定的に締めて解くことができて、製品の安全性が向上される。
【００２６】
第三に、上記ワイヤに連結された状態のガイド部を上記靴紐孔に結合するだけで、上記ワイヤが靴の側皮にジグザグ状に連結されるように固定することができるので、製品の使用上の便宜性が向上されることができ、上記ワイヤ案内孔の内側面が傾斜するように形成されるので、上記ワイヤとの摩擦力が減少され、それにより、足の甲側と足指側が均一に締められることができて、楽で且つ安定感の良い着心地を提供することができる。
【００２７】
第四に、上記加圧面部の下面には弾性的に変形されるクッション部が備えられるので、上記ワイヤを堅固に締める時、着用者の足の甲を楽に支持するだけでなく、半球状に突設されて両側に並列的に配置された上記クッション部は足の甲の上端部の突出された部分の両側を支持する。そのため、履いてから時間が経過しても上記舌革が足の甲の外側へ偏ることを防止することができて、楽な着心地を提供することができる。
【００２８】
第五に、上記クッション部は上記回転カバーの回転時に着用者の足の甲に支持されるので、舌革の遊動を防止して上記ワイヤを安定的に締めることができ、ワイヤを解く時に弾性的に復元されて、上記舌革と上記着用者の足の甲との間に空間を形成するので、上記舌革を容易に引いてワイヤを解くことができて、製品の使用上の便宜性が向上される。
【図面の簡単な説明】
【００２９】
【図１】本発明の一実施例によるワイヤ締付装置が装着された靴の斜視図。
【図２】本発明の一実施例によるワイヤ締付装置を示した分解斜視図。
【図３】本発明の一実施例によるワイヤ締付装置の結合を示した斜視図。
【図４】本発明の一実施例によるワイヤ締付装置の結合を示した斜視図。
【図５】本発明の一実施例によるワイヤ締付装置の結合を示した断面図。
【図６】本発明の他の実施例によるワイヤ締付装置の結合を示した斜視図。
【図７】本発明の他の実施例によるワイヤ締付装置の結合を示した斜視図。
【図８】本発明の他の実施例によるワイヤ締付装置の結合を示した側面図。
【図９】本発明の他の実施例によるワイヤ締付装置の結合状態を示した斜視図。
【図１０】本発明の一実施例によるワイヤ締付装置が靴に装着される前の状態を示した平面図。
【図１１】本発明の一実施例によるワイヤ締付装置のガイド部が靴に装着された状態を示した平面図。
【図１２】本発明の一実施例によるワイヤ締付装置のガイド部を示した斜視図。
【図１３】本発明の一実施例によるワイヤ締付装置のガイド部を示した側面図。
【図１４】本発明の他の実施例によるワイヤ締付装置のガイド部を示した斜視図。
【図１５】本発明の他の実施例によるワイヤ締付装置のガイド部を示した斜視図。
【図１６】本発明の他の実施例によるワイヤ締付装置のガイド部の結合を示した例示図。
【図１７】本発明の他実施例によるワイヤ締付装置のクッション部を示した側面図。
【発明を実施するための形態】
【００３０】
靴の舌革に固定され、内周にラチェット型ギアが備えられ、円筒状の内面を有するハウジング部と、上記ハウジング部の内側に回転可能に配置され、巻き取られることにより上記靴の両側側皮を締めるワイヤに引張力を提供するリール部と、上記リール部を選択的に回転する回転カバーとを含むワイヤ締付装置において、上記ハウジング部は上記舌革の上面に安着され、上記舌革に形成された装着孔に対応する位置に結合部が備えられ、上記舌革をクランピングして固定するように一面に突設された結合バーが上記装着孔を貫通して上記結合部に結合されることにより上記舌革の下面を加圧する加圧面部を含むことを特徴とする。
【００３１】
以下、添付された図面を参照して本発明の好ましい実施例によるワイヤ締付装置を詳しく説明する。
【００３２】
図１は本発明の一実施例によるワイヤ締付装置が装着された靴の斜視図であり、図２は本発明の一実施例によるワイヤ締付装置の分解斜視図である。ここで、上記ワイヤ締付装置１００は靴や帽子に備えられて着用に役に立つ装置であるだけでなく、ベルト、手袋、かばん、水上スキー、スノーボードなどのように、ワイヤ乃至紐を締めて着用する服装やアクセサリ、運動器具などの物に多様に活用されることができる締付装置に適用されることができる。
【００３３】
図１〜図２で示すように、上記ワイヤ締付装置１００は靴１や帽子のワイヤｗの締め付けに活用されることができる。ここで、上記靴１の場合、上記ワイヤｗが連結される舌革の上面に付着されることが好ましいが、デザインなどを考慮して上記靴１の側部に付着されることができる。
【００３４】
この時、上記ワイヤ締付装置１００の回転カバーを回転させることによってワイヤｗが巻き取られて締められる。それにより、上記ワイヤ締付装置１００は使用者の足の幅及び高さを含むサイズに合わせて上記ワイヤｗを適当に締めることができるので、快適な歩行を保障する。
【００３５】
一方、図２を参照すれば、上記ワイヤ締付装置１００はハウジング部６０、リール部４０及び回転カバー１０を含む。
【００３６】
ここで、上記ハウジング部６０の内周面の上側にはラチェット型ギア６２が備えられ、上記ハウジング部６０の下面は靴の舌革に固定される。また、上記ハウジング部６０には上記リール部４０が収容される円筒状の内部空間を有し、上記ハウジング部６０の上端辺縁には上記カムベース部５０が備えられる。
【００３７】
この時、上記カムベース部５０は上記ハウジング部６０の上端辺縁に回転可能に連結される。上記ラチェット型ギア６２によって反時計回り方向の回転が制限されることが好ましい。
【００３８】
また、上記ハウジング部６０の内側には回転可能に配置されて、巻き取られることにより上記靴１の両側側皮２を締めるワイヤに引張力を提供するリール部４０が備えられる。この時、上記リール部４０は上記ハウジング部６０の内側下部に回転軸が結合されて回転可能に配置され、上記リール部４０の上側には上記カムベース部５０が配置される。
【００３９】
また、上記カムベース部５０の上端には上記カム駆動部２０が備えられ、上記カム駆動部２０には突出部が形成されて、上記昇降カム部３０の内周に結合されることが好ましい。
【００４０】
ここで、上記回転カバー１０は上記カム駆動部２０の上部に結合されて一体に回転し、上記回転カバー１０の下端辺縁が上記カムベース部５０に結合されるように備えられることが好ましい。
【００４１】
この時、上記締結ねじ８０は上記回転カバー１０と上記回転軸７０を貫通して上記ハウジング部６０に締結される。そして、上記回転軸７０は上記リール部４０、上記カムベース部５０、上記昇降カム部３０及び上記カム駆動部２０を貫通して上記締結ねじ８０を囲むように配置される。
【００４２】
また、上記カムベース部５０の内周には上記昇降カム部３０が収容される。ここで、上記昇降カム部３０は上記カム駆動部２０の回転方向に沿って昇降して、上記リール部４０の上面と選択的に結合することができる。
【００４３】
また、上記リール部４０の上面には円周方向に沿って反時計回り方向に上向きに突出された上記ラチェット型突起４３が形成され、上記昇降カム部３０の下端には上記ラチェット型突起４３と噛み合うスライド突起３３が突設される。
【００４４】
即ち、上記カム駆動部２０の回転方向によって上記ラチェット型突起４３と上記スライド突起３３とが結合されて離隔される。そして、上記回転カバー１０を時計回り方向に回転させ、一体に回転される上記カム駆動部２０によって上記昇降カム部３０が下降して上記リール部４０に結合される。
【００４５】
この時、上記昇降カム部３０と上記リール部４０は一体に回転されてワイヤｗを巻くように駆動する。ここで、上記ワイヤｗは上記リール部４０の一側に結合されて、上記リール部４０の辺縁に凹溝で形成されたリール巻取部４２に巻き取られることができる。
【００４６】
そして、上記回転カバー１０を反時計回り方向に回転させると、上記昇降カム部３０が上昇し、上記リール部４０は独立的に回転してワイヤｗを繰り上げて解くことができるように駆動される。
【００４７】
図３及び図４は本発明の一実施例によるワイヤ締付装置の結合を示した斜視図であり、図５は本発明の一実施例によるワイヤ締付装置の結合を示した断面図である。
【００４８】
図３〜図５で示すように、上記ワイヤ締付装置はハウジング部６０と加圧面部１１０とを含む。ここで、上記ハウジング部６０は上記舌革３の上面に安着され、上記舌革３に形成された装着孔３ａに対応する位置に結合部１２０が備えられる。
【００４９】
また、上記加圧面部１１０は上記舌革３をクランピングして固定するように一面１１１に突設された結合バー１１２が上記装着孔３ａを貫通して上記結合部１２０に結合されることにより上記舌革３の下面を加圧する。
【００５０】
一方、図３及び図４を参照すれば、上記結合部１２０は上記結合バー１１２が挿入される挿入溝部１２１と、上記挿入溝部１２１の内側に突設されて下面１２２ａが傾斜するように備えられ、上面１２２ｂが平坦に形成される係止突起１２２とを含む。
【００５１】
また、上記結合バー１１２には上記係止突起１２２の下面１２２ａに沿ってスライドされ、上記係止突起１２２の上面１２２ｂに安着されて係止拘束されるラチェット突起１１３が突設されることが好ましい。
【００５２】
この時、上記結合部１２０は上記ハウジング部６０の辺縁両側に形成され、上記結合部１２０の内側には挿入溝部１２１が形成されることが好ましい。ここで、上記挿入溝部１２１の内側の下端辺縁には係止突起１２２が突設されることができる。
【００５３】
また、上記加圧面部１１０は上記舌革３の上面に安着された上記ハウジング部６０の下端に結合されることにより、上記舌革３をクランピングして固定するように上記舌革３の下面を加圧するプレート部材で形成される。
【００５４】
この時、上記加圧面部１１０は上記舌革３の下面に配置されて、着用者の足の甲に接触されるので、上記加圧面部１１０の下面は上記足の甲の上側に噛み合うようにラウンド状に形成されることが好ましく、上記足の甲の圧迫感を減少することができるように弾性を有する素材で形成されることが好ましい。
【００５５】
また、上記加圧面部１１０の上面１１１には上記装着孔３ａを貫通して上記挿入溝部１２１に挿入される結合バー１１２が突設されることができる。ここで、上記結合バー１１２は上記挿入溝部１２１の下側に挿入されて固定されるように、上記挿入溝部１２１の内側に突設された係止突起１２２と対向する面に上記ラチェット突起１１３が突設される。
【００５６】
この時、上記係止突起１２２及び上記ラチェット突起１１３の中の少なくとも何れか一つは上記結合バー１１２が挿入される方向に沿って多段に形成されることが好ましい。本実施例では上記ラチェット突起１１３が多段に形成された例を図示したが、上記係止突起１２２が多段に形成されることもでき、上記係止突起１２２及び上記ラチェット突起１１３の何れも多段に形成されることも可能である。
【００５７】
ここで、図５を参照すれば、上記ラチェット突起１１３は上面１１３ａが傾斜するように形成され、下面１１３ｂが水平に形成されることが好ましい。それにより、上記結合バー１１２が上記装着孔３ａを貫通して上記挿入溝部１２１の下側に挿入されれば、上記ラチェット突起１１３は上記係止突起１２２の下面１２２ａに沿ってスライドされて通過されることができる。そして、上記ラチェット突起１１３は上記係止突起１２２の上面１２２ａに上記ラチェット突起１１３の下面１３３ｂが面接触されて下側で抜けないで係止固定されることができる。
【００５８】
それにより、上記ハウジング部６０を上記舌革３の上面に安着させ、上記加圧面部１１０を上記舌革３の下面に配置して上記結合バー１１２を上記挿入溝部１２１に挿入すれば、上記ハウジング部６０の下面と上記加圧面部１１０の上面が上記舌革３をクランピングして固定することができる。
【００５９】
このように、上記結合バー１１２を上記舌革３の装着孔３ａを貫通して上記挿入溝部１２１に挿入して押し込むだけで、上記ハウジング部６０と上記加圧面部１１０との間に上記舌革３が加圧されて堅固にクランピングして固定されることができるので、製品の使用上の便宜性が顕著に向上される。
【００６０】
さらに、上記係止突起１２２及び上記ラチェット突起１１３の中の少なくとも何れか一つが多段に形成されることにより、上記舌革３の厚さに合わせて上記ハウジング部６０と上記加圧面部１１０との間の間隔を調節して結合することができるので、多様な厚さの舌革３に対応して堅固に固定されることができて、製品の互換性が改善されることができる。
【００６１】
また、上記ハウジング部６０の下面及び上記加圧面部１１０の上面には上記舌革３を加圧して拘束する楔突起１１４、１２３が突設されることが好ましい。ここで、上記楔突起１１４、１２３は上記ハウジング部６０及び上記加圧面部１１０が上記舌革３をクランピングして固定することにより、クッション感のある上記舌革３の上面及び下面に接して内側に挿入されて上記舌革３が左右側に遊動されないように拘束する。
【００６２】
上記舌革３にハウジング部６０が固定されれば、上記回転カバー１０を回して上記ワイヤｗを締める過程で上記装着孔３ａの内側に上記結合バー１１２による圧力が加えられることがある。この時、上記装着孔３ａが破損されて舌革３が破れて上記ハウジング部６０が舌革３から離脱されることがある。
【００６３】
これを防止するために、上記楔突起１１４、１２３が上記舌革３の上面及び下面を拘束して上記装着孔３ａに加えられる圧力を減少することによって上記装着孔３を保護して安定的な結合状態を保持することができる。
【００６４】
一方、図６は本発明の他の実施例によるワイヤ締付装置の結合を示した斜視図である。本実施例では、上記挿入溝部２２１ａ、２２１ｂ及び上記結合バー２１２の形態を除いた基本的な構成は前述した一実施例と同じであるので、同じ部分に対する説明は省略する。
【００６５】
図６で示すように、上記結合部２２０は上記前方側２２１ａ及び後方側２２１ｂの挿入溝部を含む。ここで、上記挿入溝部２２１ａ、２２１ｂの内側が上記ハウジング部６０の辺縁面の両側に露出されるように形成され、両側に形成された各挿入溝部は前方側及び後方側に二重に形成されることができる。そして、上記結合バー２１２は両側端部２１２ａが折曲されて上記前方側２２１ａ及び後方側２２１ｂの挿入溝部に挿入されて固定されるように備えられる。
【００６６】
ここで、上記前方側２２１ａ及び後方側２２１ｂの挿入溝部には上記結合バー２１２の端部２１２ａが挿入される下側から上側に向けて係止突起２２２が突設される。この時、上記係止突起２２２は下面２２２ｂが傾斜するように形成され、上面２２２ａが平坦に形成されることが好ましい。
【００６７】
また、上記結合バー２１２の折曲された端部２１２ａの内側には上記係止突起２２２の下面２２２ｂに沿ってスライドされ、上記係止突起２２２の上面２２２ａに安着されて係止拘束されるラチェット突起２１３が突設される。
【００６８】
この時、上記ラチェット突起２１３は多段に突設されて、上記係止突起２２２の上面２２２ａに安着されて拘束力を提供する面接触部分が増加されるように形成されることが好ましい。それにより、上記結合バー２１２の端部２１２ａが上記挿入溝部２２１ａ、２２１ｂの下側から離脱されないで堅固に固定されることができる。
【００６９】
また、上記前方側２２１ａ及び後方側２２１ｂの挿入溝部で上記係止突起２２２が突設された面に対向する面には、挿入された上記結合バー２１２の端部２１２ａを上記係止突起２２２側に加圧する支持突起２２３が形成されることが好ましい。それにより、上記結合バー２１２のラチェット突起２１３が上記係止突起２２２で離脱されないで堅固に安着されて固定されることができる。
【００７０】
図７は本発明の他の実施例によるワイヤ締付装置の結合を示した斜視図であり、図８は本発明の他の実施例によるワイヤ締付装置の結合を示した側面図であり、図９は本発明の他の実施例によるワイヤ締付装置の結合状態を示した斜視図である。
【００７１】
本実施例では、上記結合部３２０に上記加圧面部３１０が一体に形成されて折曲されることによって、上記結合バー３１１が上記結合部３２０に形成された結束孔３２２に結合されることを除いた基本的な構成は前述された一実施例と同じであるので同じ部分に対する説明は省略する。
【００７２】
図７〜図８で示すように、上記結合部３２０は上記ハウジング部６０の下端辺縁に沿って延長して形成された結合面部３２１と、上記結合面部３２１に形成された結束孔３２２の内周に形成される係止突起３２３とを含む。
【００７３】
また、上記加圧面部３１０は上記結合面部３２１の外側端に沿って延長されて上記舌革３の側端部を囲むように折曲され、上記結合バー３１１は上記結束孔３２２に挿入されて上記係止突起３２３に係止拘束されるように上端辺縁に固定突起３１２が突設される
【００７４】
詳しくは、上記ハウジング部６０の下端辺縁には上記舌革３の上面に安着されるように結合面部３２１が延長して形成される。そして、上記結合面部３２１には上記舌革３に形成された装着孔３ａに対応する位置に結束孔３２２が形成されることが好ましい。
【００７５】
ここで、上記結束孔３２２は上記結合面部３２１の前方側と後方側に二重に形成されることができ、上記結束孔３２２には内周に沿って係止突起３２３が突設されることが好ましい。また、上記結合面部３２１の外側端に沿って延長された上記加圧面部３１０は上記舌革３の側端部を囲むように折曲される。
【００７６】
また、図９を参照すれば、上記加圧面部３１０で折曲されて上記装着孔３ａの下側に対応する部分には結合バー３１１が突設され、上記結合バー３１１は上記加圧面部３１０が上記舌革３の側端部を囲むように折曲されることにより上記装着孔３ａを貫通して上記結束孔３２２に挿入されることができる。そして、上記固定突起３１２が上記係止突起３２３に拘束されることによって上記結合バー３１１は上記結束孔３２２に固定されることができる。
【００７７】
ここで、上記結合バー３１１は上記結合面部３２１の前方側と後方側に二重に形成される結束孔３２２に対応して二重に形成されることが好ましい。勿論、上記結束孔３２２及び上記結合バー３１１は前方側及び後方側の二重に制限されないで、三重あるいは四重の多段に形成されることができ、左側と右側に並列に配置されることも可能である。
【００７８】
また、上記結合バー３１１には上記結束孔３２２の内周に沿って形成された係止突起３２３に係止固定されるように辺縁に沿って固定突起３１２が突設されることができる。この時、上記固定突起３１２は上記結合バー３１１の上下方向に沿って多段に形成されることが好ましい。
【００７９】
それにより、上記結合バー３１１は上記装着孔３ａを貫通して上記結束孔３２２に挿入されるだけで係止固定され、多段に挿入されることにより上記舌革３の厚さに対応して上記結合面部３２１と上記加圧面部３１０との間の間隔が調節されるので、多様な厚さの舌革３に対応して堅固に固定されることができて、製品の互換性が改善されることができる。
【００８０】
さらに、上記加圧面部３１０は上記舌革３の側端部を囲むように備えられ、上記加圧面部３１０と上記結合面部３２１との間に上記舌革３の側端部がクランピングして固定されるので、上記ハウジング部６０が左右側に遊動されないで堅固に固定されることができる。
【００８１】
勿論、上記結合バー３１１は円形に形成され、上記装着孔３ａは上記結合突起３１１が通過することができる大きさの円形に形成されることが好ましい。それにより、上記ワイヤｗを締めたり解いたりする時、上記ハウジング部６０に加えられる圧力によって上記装着孔３ａに圧力が加えられても装着孔３ａが破れないで固定状態が安定的に保持されることができる。
【００８２】
一方、図１０は本発明の一実施例によるワイヤ締付装置が靴に装着される前の状態を示した平面図であり、図１１は本発明の一実施例によるワイヤ締付装置のガイド部が靴に装着された状態を示した平面図であり、図１２は本発明の一実施例によるワイヤ締付装置のガイド部を示した斜視図であり、図１３は本発明の一実施例によるワイヤ締付装置のガイド部を示した側面図である。
【００８３】
図１０〜図１１で示すように、上記靴１には両側側皮２に靴紐孔２ａに形成され、上記各靴紐孔２ａには上記ワイヤｗを案内するようにガイド部９０が結合される。
【００８４】
詳しくは、上記靴１には一般の靴紐を挿入するための靴紐孔２ａが形成され、上記ワイヤ締付装置１００は一般の靴紐の代わりに上記リール部４０に巻き取られることにより上記両側側皮２の間の間隔を調節するワイヤｗが装着される。
【００８５】
この時、上記ワイヤｗは上記リール部４０の回転によって加えられる引張力で上記両側側皮２の間の間隔を調節して着用者の足サイズに合う着心地を提供することができる。
【００８６】
また、通常の靴の場合、両側側皮２には６対の靴紐孔２ａが対向するように備えられる。この時、上記ガイド部９０は各靴紐孔２ａに結合され、一側側皮２に上下に配置された２つのガイド部９０を一対にして上記ワイヤｗがジグザグに連結されることが好ましい。
【００８７】
即ち、上記ワイヤｗは一側側皮２の上端に上下に配置された２つのガイド部９０に挿入されて、他側側皮の中端に上下に配置された２つのガイド部９０を通過させて、一側側皮２の下端に上下に配置された２つのガイド部９０に挿入される。
【００８８】
また、他側側皮の下端に上下に配置された２つのガイド部９０に挿入され、一側側皮２の中端に上下に配置された２つのガイド部９０を通過させて、他側側皮の上端に上下に配置された２つのガイド部９０に挿入されることによってジグザグに連結されることができる。この時、上記ワイヤｗの両端部は上記リール部４０に結合されて巻き取られることが好ましい。
【００８９】
また、上記ワイヤｗは上記リール部４０の回転によって巻き取られて両側側皮２を内側に締める。この時、上記各ガイド部９０は２つのガイド部が靴の外側から内側へ加えられる圧力を分散して支持するので、上記ワイヤｗに加えられる引張力が６０ｋｇｆ以上に高くなっても上記靴紐孔２ａから離脱されないで堅固に支持することができる。
【００９０】
ここで、図１２及び図１３を参照すれば、上記ガイド部９０は下部ボディー部９０ｂと上部ボディー部９０ａとを含む。この時、上記下部ボディー部９０ｂは上記靴紐孔２の下側辺縁に拘束されるが、上記靴紐孔２を貫通する挿入突起９４が突設されることが好ましい。
【００９１】
また、上記上部ボディー部９０ａは上記靴紐孔２の上側辺縁に安着され、一側に上記挿入突起９４が結合される結合孔９１が形成されることができる。ここで、上記結合孔９１は上記靴紐孔２の方向に沿って形成されることが好ましい。
【００９２】
それにより、上記上部ボディー部９０ａが上記靴紐孔２の上側辺縁に安着される時、上記靴紐孔２の下側辺縁に配置された上記下部ボディー部９０ｂの挿入突起９４が上記靴紐孔２を貫通して上記結合孔９１に挿入されて固定されることができる。
【００９３】
勿論、上記結合孔９１の内周には円周方向に沿って固定段差９１ａが形成され、上記挿入突起９４には上記固定段差９１ａに係止結合される固定段差係止突起９５が形成されることが好ましい。
【００９４】
この時、上記固定段差係止突起９５は多段に形成され、上記結合孔９１に挿入されることによって上記上部ボディー部９０ａと上記下部ボディー部９０ｂとの間の間隔を調節することができ、上記側皮２の厚さに対応して堅固に固定されることができる。
【００９５】
また、上記上部ボディー部９０ａの他側には上記結合孔９１に垂直な方向にワイヤ案内孔９３が形成されることができ、上記ワイヤ案内孔９３には上記ワイヤｗが挿入されて案内されることができる。
【００９６】
ここで、上記ワイヤｗは上記ガイド部９０が各靴紐孔２ａに結合されることによってジグザグに連結され、上記ワイヤｗの両端部は上記リール部４０に結合されることができる。この時、上記リール部４０が回転されることによって上記ワイヤｗはリール部４０に巻き取られて上記靴１の両側側皮２を締めることができる。
【００９７】
このように、上記ガイド部９０のワイヤ案内孔９３は上記靴紐孔２ａに垂直な方向に形成されるので、上記ワイヤｗは上記ワイヤ案内孔９３に挿入されてジグザグに連結される時上下に折曲されないで左右側のみに折曲されることができる。
【００９８】
それにより、上記ワイヤ案内孔９３と上記ワイヤｗとの間に摩擦力が減少されるので、上記ワイヤｗを締めたり解いたりして上記靴１の両側側皮２を締めたり解くのに消耗される力が減少されることができて、製品の使用上の便宜性が向上される。
【００９９】
さらに、摩擦力の減少によって締めたり解いたりする力が加えられるワイヤ締付装置１００から近い足の甲側と遠い足指の側に均一な力が加えられることができて、楽で安定感のある着心地を提供することができる。
【０１００】
一方、上記ワイヤ案内孔９３の内側面９２は中心側が上記靴１の外側方向に凸出されてラウンド状に形成されることが好ましい。それにより、上記ワイヤｗは上記ガイド部９０によってジグザグに案内されて、上記靴１の両側側皮２に連結される時、上記ワイヤ案内孔９３の端部に傾斜されるように接触されることができて、上記リール部４０の回転によって上記ワイヤｗが締めて解く時摩擦力がさらに減少されることができる。
【０１０１】
図１４は本発明の他の実施例によるワイヤ締付装置のガイド部を示した斜視図である。本実施例では、上部ボディー部１９０ａ及び下部ボディー部１９０ｂが一体に備えられることを除いた基本的な構成は前述された一実施例と同じであるので、同じ部分に対する説明は省略する。
【０１０２】
図１４で示すように、上記ガイド部９０は下部ボディー部１９０ｂと上部ボディー部１９０ａとを含む。この時、上記下部ボディー部１９０ｂは上記靴紐孔２の下側辺縁に拘束され、上記靴紐孔２を貫通する挿入突起１９４が突設されることが好ましい。
【０１０３】
また、上記上部ボディー部１９０ａは上記下部ボディー部１９０ｂと一体に形成され、上記靴紐孔２の上側辺縁に安着され、一側に上記挿入突起１９４が結合される結合孔１９１が形成されることができる。ここで、上記結合孔１９１は上記靴紐孔２の方向に沿って形成されることが好ましい。
【０１０４】
それにより、上記上部ボディー部１９０ａが上記靴紐孔２の上側辺縁に安着される時、上記靴紐孔２の下側辺縁に配置された上記下部ボディー部１９０ｂの挿入突起１９４が上記靴紐孔２を貫通して上記結合孔１９１に挿入されて固定されることができる。
【０１０５】
勿論、上記結合孔９１の内周には円周方向に沿って凹凸係止突起が形成され、上記挿入突起１９４には上記凹凸係止突起に係止結合される固定段差係止突起１９５が備えられることが好ましい。
【０１０６】
この時、上記固定段差係止突起１９５は多段に形成され、上記結合孔１９１に挿入されることにより、上記上部ボディー部１９０ａと上記下部ボディー部１９０ｂとの間の間隔を調節することができ、上記側皮２の厚さに対応して堅固に固定されることができる。
【０１０７】
また、上記上部ボディー部１９０ａの他側には上記結合孔９１と垂直した方向にワイヤ案内孔１９３が形成されることができ、上記ワイヤ案内孔１９３には上記ワイヤｗが挿入されて案内されることができる。
【０１０８】
このように、上記ガイド部９０のワイヤ案内孔１９３は上記靴紐孔２ａに垂直な方向に形成されるので、上記ワイヤｗは上記ワイヤ案内孔１９３に挿入されてジグザグに連結される時上下に折曲されないで左右側のみに折曲されることができる。
【０１０９】
それにより、上記ワイヤ案内孔１９３との上記ワイヤｗの間に摩擦力が減少されるので、上記ワイヤｗを締めたり解いたりして上記靴１の両側側皮２を締めたり解くのに消耗される力が減少されることができて、製品の使用上の便宜性が向上される。
【０１１０】
さらに、摩擦力の減少によって締めたり解いたりする力が加えられるワイヤ締付装置１００から近い足の甲側と遠い足指の側で均一な力が加えられることができて、楽で安定感のある着心地を提供することができる。
【０１１１】
図１５は本発明の他の実施例によるワイヤ締付装置のガイド部を示した斜視図であり、図１６は本発明の他の実施例によるワイヤ締付装置のガイド部の結合を示した斜視図である。
【０１１２】
本実施例ではガイド部９０がガイドバンドで形成され、一対の靴紐孔２ａに結合されることを除いた基本的な構成は前述された一実施例と同じであるので、同じ部分に対する説明は省略する。
【０１１３】
図１５及び図１６で示すように、上記靴１の両側側皮２には相互対向して配置された各対の靴紐孔２ａにガイド部９０が結合される。ここで、上記ガイド部９０はガイドバンドで形成され、両端部２９１が上記各対の靴紐孔２ａの下側から上側に貫通して上記靴紐孔２ａの外側に露出するように配置される。
【０１１４】
また、上記両端部２９１には上記ワイヤｗを挿入して案内することができる。この時、上記ワイヤｗは上記両端部２９１に挿入されてジグザグに連結されることによって上下に折曲されないで左右側のみに折曲されることができる。
【０１１５】
それにより、上記両端部２９１の内側と上記ワイヤｗとの間に摩擦力が減少されるので、上記ワイヤｗを締めたり解いたりして上記靴１の両側側皮２を締めたり解いたりするのに消耗される力が減少されることができて、製品の使用上の便宜性が向上される。
【０１１６】
図１７は本発明の他の実施例によるワイヤ締付装置でクッション部を示した側面図である。本実施例では、上記加圧面部１１０の下面にクッション部１１９が突設されることを除いた基本的は構成は前述された一実施例と同じであるので、同じ部分に対する説明は省略する。
【０１１７】
図１７で示すように、上記加圧面部１１０は着用者の足の甲に対応してラウンド状に形成されることが好ましい。また、上記加圧面部１１０の下面には上記結合バーと対応する部分に着用者の足の甲に接触して弾性的に変形されるクッション部１１９が形成されることができる。
【０１１８】
ここで、上記クッション部１１９は上記加圧面部１１０が上記足の甲の上部に安着されるように半球状に突設されることが好ましい。一般の足の甲の形態は上側が傾斜された形態を有するので、履いた後一定時間が経過すると、靴の舌革３が足の甲の傾斜に沿って外方へ偏る傾向がある。
【０１１９】
一方、上記ワイヤ締付装置１００の回転カバー１０を回転して上記ワイヤｗを締めると、上記加圧面部１１０は上記着用者の足の甲に密着される。この時、上記加圧面部１１０の下面両側に半球状に突設されて並列に配置された上記各クッション部１１９の間には上記足の甲の上端部に突出された部分が安着されて支持されることができる。
【０１２０】
それにより、上記クッション部１１９が上記足の甲の上端部に突出された部分を両側で支持するので、上記加圧面部１１０は上記足の甲の上端部で離脱されないで定位置に固定されることができる。従って、履いた後時間が経過しても上記舌革３が足の甲の外側に偏らないで楽な着心地を提供することができる。
【０１２１】
さらに、上記クッション部１１９は上記結合部の下側に配置されて弾性的に変形されるので、上記結合部によって足の甲に加えられる圧迫感と衝撃を緩和して上記ワイヤｗを堅く締めて固定しても足の甲を楽に支持することができて、製品の便宜性が向上される。
【０１２２】
また、上記クッション部１１９は上記ワイヤｗを締めるように上記回転カバー１０を一方向に回転する時、上記舌革３が遊動されないように上記着用者の足の甲に支持されるので、上記ワイヤｗを締める駆動が安定的に行われて製品の使用上の便宜性が向上される。
【０１２３】
また、上記クッション部１１９は上記回転カバー１０を他方向に回転して上記ワイヤｗを解く時弾性的に復元され、上記舌革３と上記着用者の足の甲の間に空間を形成するので、上記舌革３を容易に引いて上記ワイヤｗを解くことができて製品の使用上の便宜性が向上される。
【０１２４】
一方、図３〜図９を参照して上述した上記ワイヤ締付装置１００の装着方法をより詳しく説明すれば次の通りである。
【０１２５】
まず、上記靴１の舌革３に既設定された間隔で装着孔３ａを形成する。この時、上記装着孔３ａは上記ハウジング部６０の辺縁に形成された結合部１２０、２２０の位置に対応するように形成されることが好ましい。
【０１２６】
この時、上記装着孔３ａはナイフを利用して切断して形成するか、パンチなどを利用して形成することができる。そして、形成された装着孔３ａの辺縁は所定熱を加えて溶かすことで破れないように固定させることができる。
【０１２７】
また、上記装着孔３ａが形成されれば、上記ハウジング部６０に形成された結合部１２０、２２０、３２０を装着孔３ａに対応して配置するように上記ハウジング部６０を上記舌革３の上面に安着させる。
【０１２８】
その後、上記舌革３の下面に加圧面部１１０、２１０、３２０を配置する。この時、図３〜６のような場合に、上記加圧面部１１０、２１０は別途に備えられて、上記舌革３の下面に配置されることができる。また、図７〜図９のような場合に、上記加圧面部３２０は上記舌革３の側端部を囲むように折曲されて上記加圧面部３２０が上記舌革３の下面に配置されることができる。
【０１２９】
また、上記加圧面部１１０、２１０、３１０に突設された結合バー１１２、２１２、３１１を上記装着孔３ａを貫通して上記結合部１２０、２２０、３２０に結合することにより、上記ワイヤ締付装置１００が舌革に固定されることができる。
【０１３０】
このように、上記舌革３の厚さに関係なく使用者が舌革３に装着孔３ａを形成し、上記結合バー１１２、２１２、３１１を上記装着孔３ａを貫通して結合部１２０、２２０、３２０に挿入する単純な過程で装着することができて、多様な靴１に互換して用いることができるので、製品の互換性及び装着便宜性が顕著に向上される。
【０１３１】
さらに、上記加圧面部１１０、２１０、３１０及び上記結合部１２０、２２０、３２０の間隔を調節するように多段に形成された突起を通じて段階的に挿入されることによって、別途の返し縫いなしに多様な厚さの舌革３に対応して堅固に固定することができるので、ワイヤｗを安定的に締めて解くことができて、製品の安全性が向上される。
【０１３２】
一方、図１０及び図１１を参照すれば、上記リール部４０にはガイド部９０が結合された上記ワイヤｗが上記リール部４０の回転によって巻き取られるように上記ワイヤｗの端部が結合される。
【０１３３】
詳しくは、上記ワイヤ締付装置１００はリール部４０にワイヤｗが結合された状態で提供され、上記ワイヤｗには複数のガイド部９０が結合されている。
【０１３４】
この時、上記ワイヤｗが上記靴１の両側側皮２にジグザグに連結されるように上記各靴紐孔２ａの上側辺縁に上記各ガイド部９０の上部ボディー部９０ａを配置し、下側辺縁に上記下部ボディー部９０ｂを配置する。
【０１３５】
また、上記挿入突起９４を上記靴紐孔２ａを貫通して上記結合孔９１に結合して上記ガイド部９０を上記靴紐孔２ａに固定することができる。このように、上記ワイヤ締付装置１００に固定されたワイヤｗをジグザグに連結する時上記ガイド部９０を各靴紐孔３ａに配置して上記挿入突起９４を挿入するだけで簡単に組立てることができるので、製品の使用上の便宜性が顕著に向上される。
【０１３６】
以上で説明したように、本発明は上述した各実施例に限定されるのではなく、本発明の特許請求範囲で請求する範囲を逸脱することなく本発明が属する技術分野において通常の知識を有する者によって変形実施されることが可能であり、このような変形実施は本発明の範囲に属する。
【図１】
0006554469.tif 000002
【図２】
0006554469.tif 000003
【図３】
0006554469.tif 000004
【図４】
0006554469.tif 000005
【図５】
0006554469.tif 000006
【図６】
0006554469.tif 000007
【図７】
0006554469.tif 000008
【図８】
0006554469.tif 000009
【図９】
0006554469.tif 000010
【図１０】
0006554469.tif 000011
【図１１】
0006554469.tif 000012
【図１２】
0006554469.tif 000013
【図１３】
0006554469.tif 000014
【図１４】
0006554469.tif 000015
【図１５】
0006554469.tif 000016
【図１６】
0006554469.tif 000017
【図１７】
0006554469.tif 000018